(57)【要約】【課題】小回りが利き、かつ容易にハンドルが取られず安定した直進ができる乗用の溝切機を提供すること。【解決手段】駆動輪１１を動力伝達軸１３を介して回転駆動するエンジン１２を有する駆動部１と、フロントフォーク２１とハンドルステム２２とハンドル２３とを有する前フレーム２と、ヘッドチューブ３１とトップチューブ３２と湾曲部３７と後ステー３８とを有する後フレーム３と、サドルと、溝切部４とを備え、動力伝達軸１３はサドル３５下方を後方に向けて直線的に延びるように配置されるとともに、エンジン１２はサドル３５の後方に配置され、後フレーム３の湾曲部３７は操舵に伴う動力伝達軸１３の変位による干渉を防止するとともに、ハンドル２３を直進状態に付勢するセンタリング部材５を備えた。【選択図】図１
2018027035.tif 000002
【特許請求の範囲】
【請求項１】
前部に設けられた駆動輪と、当該駆動輪を動力伝達軸を介して回転駆動する駆動装置とを有する駆動部と、
前記駆動輪を回転可能に支持する駆動輪支持部と、駆動輪支持部に固定されたハンドル軸と、操舵用のハンドルとを有する前フレームと、
前記ハンドル軸を回動可能に支持するハンドル軸支持部と、乗用するためのサドル支持部とを有する後フレームと、
サドル支持部に支持されたサドルと、
当該後フレームの後部に配置された溝切部材を有する溝切部と
を備えた溝切機であって、
前記動力伝達軸は前記サドル下方を後方に向けて直線的に延びるように配置されるとともに、前記駆動装置は前記サドルの後方に配置され、
前記後フレームには、操舵に伴う前記動力伝達軸の変位による干渉を防止する干渉防止構造を備え、
前記後フレームには、前記ハンドルを直進状態に付勢するセンタリング部材を備えたことを特徴とする溝切機。
【請求項２】
前記駆動輪の操舵による回動を抑制する回動抑制部材を備えたことを特徴とする請求項１に記載の溝切機。
【請求項３】
前記動力伝達軸は、前記前フレームに設けられた動力伝達軸支持部材により支持されていることを特徴とする請求項１又は請求項２に記載の溝切機。
【請求項４】
前記後フレームは、前記ハンドル軸支持部と前記溝切部とを連結する部分の少なくとも一部を、単一のパイプ部材で連結したことを特徴とする請求項１〜３のいずれか一項に記載の溝切機。
【請求項５】
前記ハンドル軸支持部と前記溝切部材との間には、衝撃緩衝構造を備えたことを特徴とする請求項１〜４のいずれか一項に記載の溝切機。
【請求項６】
前記衝撃緩衝構造は、前記ハンドル軸支持部に設けられた幅方向に配置された軸で後部を支承するとともに、弾性体により回転が規制されていることを特徴とする請求項５に記載の溝切機。
【請求項７】
前記センタリング部材は、前記前フレームと前記後フレームとの間に介在した弾性部材であることを特徴とする請求項１〜６のいずれか一項に記載の溝切機。
【請求項８】
前記センタリング部材は、その両端が、前記前フレームと前記後フレームとにそれぞれ固定されたつるまきばねを備えたことを特徴とする請求項７に記載の溝切機。
【請求項９】
前記センタリング部材は、前記ハンドルを直進状態にするように前記動力伝達軸を付勢する付勢手段を備えたことを特徴とする請求項１〜８のいずれか一項に記載の溝切機。
【請求項１０】
前記動力伝達軸を案内する案内部材を備えたことを特徴とする請求項１〜９のいずれか一項に記載の溝切機。
【発明の詳細な説明】
【技術分野】
【０００１】
本発明は、圃場の排水を速やかに行うための溝を形成する溝切機に係り、詳しくは跨って乗車し操舵可能な乗用の溝切機に関する。
【背景技術】
【０００２】
従来、圃場の排水を速やかに行うための溝を形成する溝切機が用いられているが、トラクターに牽引させたり、４輪の大型乗用の溝切機は、効率的な溝切ができる反面小回りが利かず、作物を傷めたり、圃場への入退場に困難が付きまとうような場合があった。そこで、特許文献１に記載したような前部に駆動用車輪を備え、座席後部に配置されたエンジンに回転駆動され、後部に溝切り刃を備えた乗用型農作業機が提案された。作業者は、その中間位置の座席に跨り、ハンドルにより駆動用車輪を操舵できるため、簡易な構造で操舵を可能とするとともに、作業者に排気が向かうのを防止できる。
【０００３】
引用文献１に記載されたような溝切機では、田植えが直線的に行われる水田においては、溝切機が幾つかの要因により直線性が保たれないこともあり、苗の株に沿って行われる溝切り作業においての作業性が損われている。そのため水田溝切り機に操舵機能を付与することが考えられた。そのため、引用文献１に記載された溝切機では、苗の株に沿ってわずかな軌道修正ができれば十分であると考えられていた。そして、ハンドルの操舵範囲は、斜めフレームパイプに干渉しないように、外筒パイプに設けられた長穴と回転内筒パイプに設けられた突起からなる回転規制手段によりわずかな回転範囲に規制されていた。（段落００４２〜００４５）
【先行技術文献】
【特許文献】
【０００４】
【特許文献１】特開２０１０−３５５２７号公報
【発明の概要】
【発明が解決しようとする課題】
【０００５】
しかしながら、溝切機は、圃場における搬入・搬出の際や、隣接する苗の株の列に反転移動するときには、大きく操舵できることが好ましい。
一方、単に操舵角を大きくすると、圃場の土の状態や地形によりハンドルを取られてしまい、かえって溝切機を苗の株に沿って進行させることができない場合もある。そのため、作業者は常にハンドルをしっかり持って直進を維持しなくてはならなくなり逆に作業者の大きな負担となる。
【０００６】
本発明が解決しようとする課題は、ハンドルによって操舵が可能な乗用の溝切機において、小回りが利き、かつ不規則な形状の土であってもハンドルを取られにくくして操舵しやすく、安定した直進ができる溝切機を提供することにある。
【課題を解決するための手段】
【０００７】
上記課題を解決するために、本発明に係る溝切機の発明では、前部に設けられた駆動輪と、当該駆動輪を動力伝達軸を介して回転駆動する駆動装置とを有する駆動部と、前記駆動輪を回転可能に支持する駆動輪支持部と、駆動輪支持部に固定されたハンドル軸と、操舵用のハンドルとを有する前フレームと、前記ハンドル軸を回動可能に支持するハンドル軸支持部と、乗用するためのサドル支持部とを有する後フレームと、サドル支持部に支持されたサドルと、当該後フレームの後部に配置された溝切部材を有する溝切部とを備えた溝切機であって、前記動力伝達軸は前記サドル下方を後方に向けて直線的に延びるように配置されるとともに、前記駆動装置は前記サドルの後方に配置され、前記後フレームには、操舵に伴う前記動力伝達軸の変位による干渉を防止する干渉防止構造を備え、前記後フレームには、前記ハンドルを直進状態に付勢するセンタリング部材を備えたことを要旨とする。
【０００８】
この構成によれば、ハンドルによって操舵が可能で小回りが利き、かつ不規則な形状の土であってもハンドルを取られにくくして操舵しやすく、安定した直進ができる。
前記溝切機は前記駆動輪の操舵による回動を抑制する回動抑制部材を備えていることが望ましい。
【０００９】
この構成によれば、キックバックやハンドルの急激な戻りを抑制することができる。
前記動力伝達軸は、前記前フレームに設けられた動力伝達軸支持部材により支持されていることが望ましい。
【００１０】
この構成によれば、先端に駆動装置を備えた動力伝達軸と、駆動輪との接続部分の応力を緩和することができる。また、前フレームに支持されているため、駆動装置の振動をサドルに伝達しにくくなる。
【００１１】
前記後フレームは、前記ハンドル軸支持部と前記溝切部とを連結する部分の少なくとも一部を、単一のパイプ部材で連結したことも望ましい。
この構成によれば、フレーム自体が弾性体として衝撃緩衝構造として機能し、地面からの衝撃を緩衝することができる。
【００１２】
前記ハンドル軸支持部と前記溝切部材との間には、衝撃緩衝構造を備えたことも望ましい。
この構成によれば、地面からの衝撃や、フレームが駆動輪に引っ張られる力をハンドル軸支持部と溝切部材との間に配設された衝撃緩衝構造により効果的に緩衝することで作業者が快適に作業できる。
【００１３】
また、前記衝撃緩衝構造は、前記ハンドル軸支持部に設けられた幅方向に配置された軸で後部を支承するとともに、弾性体により回転が規制されていることも望ましい。
この構成によれば、衝撃緩衝構造を簡易な構成とすることができ、かつ効果的に衝撃を緩衝することができる。
【００１４】
前記センタリング部材は、前記前フレームと前記後フレームとの間に介在した弾性部材であることが望ましい。
前フレームと後フレームに介在させた弾性部材により、簡易な構造でありながらその弾性でハンドルのセンタリングができる。
【００１５】
前記センタリング部材は、その両端が、前記前フレームと前記後フレームとにそれぞれ固定されたつるまきばねを備えたことが望ましい。
この構成によれば、大きく操舵が可能なセンタリング部材とすることができる。
【００１６】
前記センタリング部材は、前記ハンドルを直進状態にするように前記動力伝達軸を付勢する付勢手段を備えたことが望ましい。
この構成によれば、先端に駆動装置を備えた動力伝達軸を直進状態に付勢することで、操舵時の回転中心であるハンドル軸から離間した動力伝達軸を付勢することで効果的にセンタリングを行うことができる。
【００１７】
前記動力伝達軸を摺動可能に案内する案内部材を備えたことが望ましい。
この構成によれば、動力伝達軸をより安定させ、円滑に操舵することができる。
【発明の効果】
【００１８】
本発明の溝切機によれば、ハンドルによって操舵が可能で小回りが利き、かつ不規則な形状の土であってもハンドルを取られにくくして操舵しやすく、安定した直進ができる。
【図面の簡単な説明】
【００１９】
【図１】本発明の溝切機を右斜め後方から見下ろした斜視図。
【図２】本発明の溝切機を左斜め後方から見下ろした斜視図。
【図３】本発明の溝切機のシートと車輪カバーを省略した平面図。
【図４】図３に示す溝切機の操舵した状態を示す平面図。
【図５】本実施形態のセンタリング部材を示す斜視図。
【図６】（ａ）本実施形態のセンタリング部材と回動抑制部材を示す断面図。（ｂ）センタリング部材の一部拡大断面図。
【図７】本実施形態の回動抑制部材を示す斜視図。
【図８】（ａ）本発明の干渉防止構造を示す背面図。（ｂ）干渉防止構造の別の実施例を示す背面図。（ｃ）干渉防止構造のさらに別の実施例を示す背面図。
【図９】センタリング部材の別例を示すエンジンを省略した背面図。
【図１０】（ａ）衝撃緩衝構造の別例を示す断面図。（ｂ）衝撃緩衝構造の別例を示す斜視図。
【発明を実施するための形態】
【００２０】
（第１の実施形態）
以下、本発明を具体化した溝切機の一実施形態を図１〜図５にしたがって説明する。なお、説明において、溝切機の進行方向を「前方」とし、乗車した作業者から見て右側を「右側」という。
【００２１】
（全体構成）
図１、図２を参照して溝切機の全体構成を説明する。本実施形態の溝切機は、作業者がサドルに跨って地面（圃場）に足を着けて乗車するもので、全体としてバイクのような形状であるが、後輪に替えて溝切板を備え、また、後輪でなく前輪で駆動する。
【００２２】
（駆動部）
溝切機の駆動部は、前部に設けられた駆動輪１１と、この駆動輪１１を動力伝達軸１３を介して回転駆動する駆動装置としてのエンジン１２を備える。
【００２３】
動力伝達軸１３はサドル３５の下方を後方に向けて直線的に延びるように配置されている。エンジン１２はサドル３５の後方に配置されている。
エンジン１２からの出力は、動力伝達軸１３からギヤボックス１４（図２）に伝達され、ギヤボックス１４で回転速度が減速され、ギヤボックス１４の内側のハブ１７（図１）を介して駆動輪１１に駆動力が伝達される。
【００２４】
（前フレーム）
前フレーム２は、駆動輪１１を回転可能に支持する駆動輪支持部としてのフロントフォーク２１と、フロントフォーク２１に固定されたハンドル軸としてのハンドルステム２２と、操舵用のハンドル２３とを有する。
【００２５】
この駆動輪１１のハブ１７は、作業者から見て左側が長い逆Ｊ字状のフロントフォーク２１に片持ちで支持されている。フロントフォーク２１の上端内側には、前方に向けて駆動輪１１をカバーする車輪カバー２４を備える。フロントフォーク２１の上部中央にはハンドルステム２２が略鉛直に設けられ、その上端には、ハンドル２３が幅方向略水平に設けられている。
【００２６】
（動力伝達軸支持部材）
図２に示すように、動力伝達軸支持部材９は、動力伝達軸１３の略中央に動力伝達軸１３を外嵌する丸パイプ状の支持チューブ２７が嵌合され、支持チューブ２７の中央上端には、フロントフォーク２１の左側上部と連結する斜め支持ステー２５が溶接固定されている。また、斜め支持ステー２５の下端近傍には、フロントフォーク２１の下部とを連結する水平支持ステー２６が、動力伝達軸１３と平行に固定されている。このトラス構造により、動力伝達軸１３はフロントフォーク２１と鉛直方向に強固に結合している。
【００２７】
（後フレーム）
後フレーム３は、ハンドルステム２２を回動可能に支持するハンドル軸支持部として、概ね鉛直の状態で設けられたパイプ状のヘッドチューブ３１と、このヘッドチューブの上端部後方側に断面形状が縦長の長方形の直線状の角パイプからなるトップチューブ３２が接続され、後方斜め下向きに延びるように設けられている。トップチューブ３２の後端には、やや後傾した状態で概ね垂直に設けられたパイプ状のシートチューブ３３が上方に向けて設けられている。このシートチューブ３３は、上方が開口した円筒形の金属パイプであり、この中にその内径より若干小さい外形の円筒状のシートポスト３４が摺動可能に挿入される。シートポスト３４の上端には、サドル３５が配設固定されている。サドル３５は、シートポスト３４に溶接固定された水平な金属板と、その上部に内部にスポンジやばねなどの弾性体と、これらを包むビニルレザーの外皮とから構成され、作業者が安定して快適に跨ることができるようになっている。
【００２８】
シートチューブ３３の上端には、シート高さ調節部材（不図示）が設けられ、挿入されたシートポスト３４を締付若しくは解放することでサドル３５を任意の高さに調節することができる。
【００２９】
トップチューブ３２の後端であって、シートチューブ３３のすぐ前方には、右面から下方後方に円弧状に膨出する断面が長方形の金属製角パイプからなる湾曲部３７が接続されている。湾曲部３７の下端は、再び溝切機の幅方向中心に戻るように配置されている。湾曲部３７の後端には、斜め下方に向けて後方に直線的に延びる、断面が縦長の長方形の直線状の金属製の角パイプからなる後ステー３８が配設されている。
【００３０】
後ステー３８の後端には、上方をやや前傾させ、下面が開放した金属製の丸パイプからなる溝切部取付部３９が配設される。
（衝撃緩衝構造）
後フレーム３、ヘッドチューブ３１と溝切部取付部３９とを連結する部分を、単一のパイプ部材であるトップチューブ３２、湾曲部３７、後ステー３８により連結した。このため、トラス構造などが形成されていないため、これらの弾性変形により地面（圃場）からの衝撃が、緩和され、サドル３５に跨った作業者への衝撃が緩和される衝撃緩衝構造となっている。特に湾曲部３７の形状は、サドル３５への荷重と溝切面４２への圧力と相俟って特に撓みやすくなっている。
【００３１】
（溝切部）
車体後部には溝切部４が配設される。後フレーム３の溝切部取付部３９には、その内径よりやや小さい外形の丸パイプからなる溝切板ステー４１が下方から挿入されており、溝切板ステー４１の下端には溝切板４０が固定されている。
【００３２】
溝切板４０は、断面視で略Ｖ字形であり、底面は水平に面取りした水平面を備える。平面視では概ね幅の狭い将棋駒のような形状である。
なお、詳細は図示しないが、溝切板ステー４１により溝切部取付部３９に取付けられた溝切板４０は、溝切板ステー４１と溝切部取付部３９との重なった部分を直径方向に貫通する貫通孔（不図示）に挿入されるピン（不図示）で固定されている。貫通孔は例えば上下３段の位置に配設され、垂直方向の取付位置を調節できる。
【００３３】
また、詳細は図示しないが、溝切板ステー４１は、溝切部取付部３９に対して若干回転可能に装着されている。溝切板４０の前端には、溝切面４２を溝切板ステー４１を回転中心として、方向を微調整する直進調整部材４３が配設されている。この調整によって、溝切面４２の方向を微調整することができる。
【００３４】
（センタリング部材・センタリング調整部材）
次に、センタリング部材５について説明する。
図５に示すように、フロントフォーク２１とトップチューブ３２の間にはセンタリング部材５が配設されている。センタリング部材５は、溝切面４２に対する駆動輪１１の方向を常に直進方向に付勢することで、ハンドル２３が取られたような場合でも操舵を抑制するようにして自律的に直進性を高める機能を有する構成である。
【００３５】
図６（ａ）に示すように、フロントフォーク２１には、後方に面した板状の前取付部５１が固定されており、ここには雌ねじが刻設された取付孔が設けられている。コイルスプリング５０は、全体が金属製で、両端部は直径が小さくなるように形成され、中心軸に沿って取付け用の孔が形成されている。コイルスプリング５０は、前端が前ボルト５２により前取付部５１にねじ止め固定されている。
【００３６】
他方、図６（ｂ）に示すように、トップチューブ３２の下面には、取付ベース５４が固定されており、ここには雌ねじが刻設された螺合孔５５が設けられている。この取付ベース５４には、金属板からなる調整プレート５６がねじ止めされている。
【００３７】
この調整プレート５６には、取付ベース５４の螺合孔５５とほぼ同軸に、かつ螺合孔５５の内径よりも大きな内径の遊嵌孔５７が穿設されている。そして遊嵌孔５７には、調整ボルト５８が挿入され、螺合孔５５に螺合されている。このとき遊嵌孔５７は、調整ボルト５８の外径よりも大きな内径を有しているため、調整ボルト５８を締め付けていない場合には、前後左右に移動可能となっている。また、位置を決めて調整ボルト５８を螺合孔５５に螺合して締め付ければ、調整プレート５６の取付ベース５４に対する相対位置が固定される。この調整プレート５６には、前取付部５１と対向するような位置に配置された後取付部５３が溶接等で固定されている。そして、コイルスプリング５０の後端は、前端と同じように後ボルト５９で後取付部５３にねじ止め固定されている。このときコイルスプリング５０は、わずかに伸長されるような状態となっている。
【００３８】
（回動抑制部材）
次に、図６（ａ）、図７を参照してハンドルステム２２の回動を抑制する回動抑制部材６について説明する。回動抑制部材６は、圃場における土の状態などで駆動輪１１に大きな外力が掛かった場合や作業者がハンドルを大きく切った場合でも、ハンドル２３が急激に直進状態に戻ったりすることを抑制する機構である。
【００３９】
図６（ａ）に示すようにハンドルステム２２は、ヘッドチューブ３１の内部に挿入された状態で、ヘッドチューブ３１の上下両端部に配置されたカラーブッシュ６０により支持されている。
【００４０】
図７に示すようにカラーブッシュ６０は、ヘッドチューブ３１に内周面に沿った円筒形の部分で筒状部６１と、ヘッドチューブ３１の端面部に当接する鍔状のフランジが形成されたフランジ部６２とからなり、軸方向に沿ったスリット６３が一か所形成されている。カラーブッシュは、実施形態では、例えば充填剤入り四ふっ化エチレン樹脂層、青銅焼結層、そしてバックメタルの三層から構成される無給油軸受で、無給油で潤滑することができ、かつ押圧力により摺動抵抗を変化させることができる。具体的には、オイレス工業株式会社の商品名オイレスドライメットＬＦ（登録商標）などを好適に用いることができる。また、これに限らず金属系や樹脂系のブッシュを用いることもできる。また、配置場所は実施形態のような位置に限定されるものではなく、例えばフランジの無い円筒形のブッシュを用いることで、ヘッドチューブ３１の任意の位置に配置することもできる。
【００４１】
図６（ａ）に示すように実施形態では、ヘッドチューブ３１の上端に配置されたカラーブッシュ６０は、ハンドルステム２２との間に配置され、適度な摺動抵抗を維持する。ボルトからなる調整ねじ６４が、ヘッドチューブ３１に貫通して設けられたねじ孔６５に螺合され、その先端がヘッドチューブ３１内に配置されたカラーブッシュ６０の筒状部６１のスリット６３以外の側面に当接する。
【００４２】
このため、調整ねじ６４のねじ込みでカラーブッシュ６０と、その内部に挿通するハンドルステム２２との押圧力が変化し、摺動抵抗が変化する。したがって、調整ねじ６４を強くねじ込むことで、ハンドルステム２２の回動を抑制することができる。
【００４３】
（実施形態の作用）
このように構成された本実施形態の作用について説明する。
図３に示すように、作業者（不図示）は、２点鎖線で示すサドル３５に跨って乗車してハンドル２３を握持する。このときハンドル２３は直進方向を向いている。そしてスターターでエンジン１２を始動する。コントローラでエンジン１２の回転を高めるとクラッチが接続し駆動輪１１が回転を始め、溝切機がゆっくり前進する。
【００４４】
＜操舵機能＞
図４に示すように作業者が大きくハンドルを切ると、ハンドルステム２２が回動して、フロントフォーク２１に支持された駆動輪１１の向きが変わる。ハンドル２３を右に切った場合には、２点鎖線で示すように駆動輪１１と一緒にギヤボックス１４、動力伝達軸１３、エンジン１２も一緒に回転し、エンジン１２は作業者の左側に張り出す。一方、ハンドル２３を左に切った場合には、同様にエンジン１２と、動力伝達軸１３は実線で示すように右側に回転する。
【００４５】
図８（ａ）に示すように、ハンドル２３を大きく左に切った場合でも、動力伝達軸１３は湾曲部３７の湾曲した内部に入り込み、後フレーム３のシートチューブ３３、湾曲部３７、後ステー３８のいずれとも干渉しない構造となっている。
【００４６】
図４に示すように、エンジン１２はサドル３５の右後に移動するため、エンジン１２が後フレーム３やサドル３５と干渉することもない。
このため、動力伝達軸１３やエンジン１２が後フレーム３と干渉することなく、ハンドル２３を大きく左に切ることができる。
【００４７】
＜センタリング機能＞
溝切機は一般のバイクや自転車のように自律的な直進性が期待できない。そこで、本実施形態では、センタリング部材５により、ハンドル２３が直進状態になるように常時付勢して直進性を付与している。
【００４８】
図３に示すように、ハンドル２３に力を加えないで、駆動輪１１も圃場の接地面からの大きな力が加わらない自由状態では、図５に示すようにコイルスプリング５０に張力がかかっているため、前取付部５１と後取付部５３が相互に引き付けられ、フロントフォーク２１が直進方向に付勢され、駆動輪１１は直進方向を維持する。
【００４９】
このため、一般に直線状に配列されている苗の株に沿って、一旦方向が定まったら、あとはわずかに修正するだけで、直線状に配列されている苗の株に沿って溝切作業ができる。
【００５０】
図４に示すとおり、作業者がハンドル２３を左折方向（図において反時計回り方向）に操舵力Ｐ１を加えたり、或いは、駆動輪１１が外力Ｐ２を受けたときの状態について説明する。
【００５１】
自由状態から、操舵力Ｐ１若しくは外力Ｐ２が加わると、コイルスプリング５０の引っ張り力に抗して、コイルスプリング５０を捻るように引っ張り変形させてハンドル２３が、反時計回りに回動する。このとき、センタリング部材５のコイルスプリング５０の弾性反発力により、フロントフォーク２１を直進方向に向ける付勢力となる。この付勢力は、ハンドルを大きく切れば切るほど大きくなり、大きな外力でハンドルを取られた場合には、大きな付勢力で直進に戻ろうとする。
【００５２】
特に本実施形態では、質量の大きなエンジン１２が回転中心であるハンドルステム２２から大きく離れていることから、車体の左右の揺れなどで、慣性力により大きな回転モーメントが働き大きな力でハンドルを取られやすい。このような場合でも、センタリング部材５により、ハンドル２３を直進方向に付勢するため、直進性が保たれる。
【００５３】
＜ダンパー機能＞
直進状態で作業しているときに、大きな外力が駆動輪１１に掛かった場合には、センタリング部材５により、ハンドル２３を直進方向に付勢する力が働く。このとき、回動抑制部材６のカラーブッシュ６０とハンドルステム２２との摺動抵抗により、回動抑制部材６がダンパーとして機能し、これらが相俟ってハンドル２３の急激な角度変化は抑制される。そのため、大きなキックバックなどがあっても、ハンドル２３が急激に回動して溝切機の進行方向が急激に曲がったりすることがなく、バランスを崩すことなく直進性を維持することができる。
【００５４】
さらに、作業者の意思でハンドル２３が大きく切られた状態になった場合でも、センタリング部材５のみであれば、急激に直進状態に戻ろうとしてハンドルが急激に回動することになるが、本発明では、回動抑制部材６がダンパーとして機能し、回動が抑制され、ゆっくりと図３に示す直進状態に戻っていくため、作業者に負担をかけることもない。
【００５５】
このとき、本実施形態のような質量の大きなエンジン１２が回転中心であるハンドルステム２２から大きく離れている場合は、センタリング部材で急激に直進状態に戻るときに、大きな慣性力が働き、ハンドルが左右に振動してしまう場合があるが、回動抑制部材６は、この振動を速やかに収拾する。
【００５６】
いうまでもなく、作業者が小回りさせようと意図すれば、車体を持ち上げることなく、跨ったままハンドル２３に持続的な力を掛けてゆっくり大きく切って、小さな半径で小回りさせることもでき、狭い圃場でも乗車したまま方向転換ができる。
【００５７】
＜センタリング調整機能＞
また、作業者がハンドル２３を操舵しないで駆動した時に正確に直進状態を保てない場合がある。例えば、コイルスプリング５０の個体差や、取付時の傾きなどによっても完全な直進状態とならない場合がある。さらに、いくらハンドル２３が真っ直ぐに調整されても、本実施形態のようにエンジン１２が左側面に配置されているため左側に曲がろうとする力が生じる。このような場合には、センタリング部材５による復帰位置の調整を行う。
【００５８】
図５に示すセンタリング部材５の調整ボルト５８を緩めると、調整ボルト５８により取付ベース５４に固定されていた調整プレート５６が、調整ボルト５８と遊嵌孔５７との間隙の範囲で位置が調整可能となる。調整ボルトを緩めた状態で、ハンドル２３の角度を微調整して、任意の位置で調整ボルト５８を締め直す。これで、センタリング位置の修正が完了する。
【００５９】
＜直進調整機能＞
例えば、自由状態で左方向に曲がるようであれば、直進調整部材（不図示）により溝切板４０を溝切板ステー４１を中心に、平面視で反時計まわりに回転させて調整すれば、自由状態で直進するように調整することができる。そのため、センタリング調整機能と併用することで、調整範囲が大きくなっている。
【００６０】
＜衝撃緩衝機能＞
本実施形態の後フレーム３は、ヘッドチューブ３１と溝切部取付部３９とを連結する部分を、単一のパイプ部材であるトップチューブ３２、湾曲部３７、後ステー３８により連結した。このため、トラス構造などが形成されていないため、これらの弾性変形により地面（圃場）からの衝撃が、緩和され、サドル３５に跨った作業者への衝撃を緩和する。
【００６１】
特に、湾曲部３７の構成が、弾性力を発揮する。
（実施形態の効果）
上記実施形態の溝切機によれば、以下のような効果を得ることができる。
【００６２】
（１）本実施形態の溝切機では、軽量な溝切機でありながら跨って乗車することで作業者の体重を利用して深い溝が形成できる。また、エンジン１２が後方に配置されるため作業者に排気が向かうのを防止することができる。
【００６３】
（２）そして、後フレーム３には、干渉防止構造である湾曲部３７を備えたため、ハンドル２３を左に大きく切っても、エンジン１２や動力伝達軸１３が後フレーム３に接触することがない。また、エンジン１２とサドル３５との干渉もしないように配置されている。このため、大きく左右にハンドル２３を切ることができるため小回りが利き、狭い圃場内で方向転換したり、圃場への搬入や、圃場からの搬出も簡単にできる。
【００６４】
（３）また、溝切機はバイクのような直進性が期待できないが、センタリング部材５により、ハンドル２３は直進方向に付勢される。そのため、不規則な形状の土であってもハンドル２３を取られにくく、安定して直進ができる。そのため、作業者は常時ハンドル２３を大きな力で直進するように維持するような必要もなく、作業者の負担を大幅に軽減できる。
【００６５】
（４）センタリング部材５は、弾性体の弾性力を利用しているため、動力源が不要で、構造が単純であるため、安定して機能するとともに故障もしにくくメンテナンスも容易である。
【００６６】
（５）特にコイルスプリング５０を用いたため、力に応じてあらゆる方向に容易に大きく変形するため、取付も容易で、操舵角も大きくとることができ狭い圃場でも小回りが利く。
【００６７】
（６）また、金属製のコイルスプリング５０は、耐久性もあり、弾性反発力も大きいため、強力に直進性を高めることができる。
（７）さらに、回動抑制部材６によれば、大きなキックバックを受けたような場合でもダンパーとして機能して直進性を維持しやすく、作業者に負担を軽減する。
【００６８】
（８）また、回動抑制部材６は、作業者が自ら大きくハンドル２３を切った場合に、ハンドルがセンタリング部材５により、急激に直進方向に戻ることを抑制することができる。
【００６９】
（９）また、センタリング調整部材である調整プレート５６によりセンタリングの位置調整も容易にでき、厳密に直進性を保つことができる。センタリング調整も調整ボルト５８を緩め、調整プレート５６を移動するだけで容易に調整することができる。
【００７０】
（１０）さらに、直進調整部材４３により、溝切部４においても直進性を調整することができる。
なお、上記実施形態は、当業者であれば以下のように変更して実施することもできる。
【００７１】
○  本実施形態のセンタリング部材５としては、１本の金属製のコイルスプリング５０を用いているが、複数のコイルスプリングとしてもよい。金属製のコイルスプリング５０に替えて、板バネとしてもよい。さらに、金属製のものに替えて、ゴム製や樹脂製の弾性体としてもよい。また、トーションばねを用いた構成などとすることもできる。
【００７２】
○  また、センタリング部材５の取り付け場所は、ハンドル２３の回動を直進方向に付勢できればよく、実施形態の配設位置には限定されない。
○  図９に示すように、例えばトップチューブ３２後端部から、動力伝達軸１３の鉛直上方に延びる金属製の角パイプからなる動力伝達軸吊りバー２８を水平に延びるように設ける。そして、動力伝達軸１３に外嵌した支持チューブ２７と動力伝達軸吊りバー２８の間に、コイルスプリングからなる動力伝達軸吊りスプリング２９を張設する。ハンドル２３が切られると、動力伝達軸吊りスプリング２９が伸長し、弾性力で伸縮しようとする。つまり、動力伝達軸１３を直進方向に付勢する。
【００７３】
本実施形態では、操舵の際の回転中心は、ハンドルステム２２であり、ここから離間した位置にエンジン１２を伴った動力伝達軸１３においてセンタリングを行うことは、ハンドルステム２２に近いフロントフォーク２１とトップチューブ３２との間でセンタリングを行うことによりさらに効果的である。
【００７４】
○  また、動力伝達軸１３を案内する案内部材を備えたことも望ましい。
図８（ｂ）に示すように、湾曲部３７に替えて、動力伝達軸１３の可動範囲に空間を設けた環状の干渉防止構造である案内部７０をトップチューブ３２と後ステー３８の間に設ける。このような構成であれば、片持ち構造の上記実施形態よりも高い剛性とすることができる。また、動力伝達軸１３の可動範囲を確保して、周囲の物と動力伝達軸１３との干渉を防止することもできる。
【００７５】
○  この場合、案内部７０の開口部を案内レール７１として、動力伝達軸１３に装着したスライダ７２により、動力伝達軸１３を支持するとともに、案内レール７１に沿って円滑に案内するようにしてもよい。
【００７６】
このような構成にすると、動力伝達軸１３がスライダ７２により保持されて安定した状態となるとともに、スライダ７２が案内レール７１を円滑に移動することができる。さらに、後フレーム３の剛性を高くすることができる。
【００７７】
○  図８（ｃ）に示すように、図８（ｂ）と同様の案内部７０を設け、ここにセンタリング部材５を配設してもよい。この案内部７０の空間内の左右両端部にコイルスプリングからなるセンタリングスプリング７３、７３を配して、動力伝達軸１３を左右両側から引っ張る。このような構成とすることで、動力伝達軸１３は左右の均衡がとれて案内部７０の中央に付勢されるセンタリングができる。なお、図８（ｂ）に示すように案内レール７１とスライダ７２を設けてもよく、また、単に動力伝達軸１３が摺動するような構成でもよい。
【００７８】
○  本実施形態では、後フレーム３全体の金属パイプの弾性により衝撃緩衝構造を構成していたが、さらに、後フレーム３の一部を積極的に、ばねなどの弾性体で構成することにより衝撃を吸収するようにしてもよい。
【００７９】
○  さらに図１０（ａ）、図１０（ｂ）に示すように、衝撃緩衝構造８を、ヘッドチューブ３１とトップチューブ３２との接続部分に設けてもよい。
ヘッドチューブ３１の後側の面には、金属板からなる前取付部材８０が溶接され、その左右両端部はリブ状に後方に直角に折り曲げられ平面視コ字状となっている。その左右の幅は、概ねヘッドチューブ３１の幅と同じとなっている。それぞれの折り曲げられたリブ状部分の中央部には、穴が穿設されている。一方、その左右両端部が、前方に直角に折り曲げられて平面視が前取付部材８０と逆向きのコ字状とされ、前取付部材８０とヘッドチューブ３１を覆うような後取付部材８２が配設されている。後取付部材８２は、前取付部材８０に穿設された穴に水平幅方向の支承ピン８１により支承されて後取付部材８２はヘッドチューブ３１に対して揺動可能になっている。後取付部材８２は、前取付部材８０のより、上下に長くなっており、後取付部材８２の上部とヘッドチューブ３１の間にはゴムからなる弾性体（上）８３が配設されている。また、後取付部材８２の下部とヘッドチューブ３１の間にはゴムからなる弾性体（下）８４が配設されている。
【００８０】
このように構成された衝撃緩衝構造８では、たとえば駆動輪１１に駆動力が掛かったときの衝撃や、駆動輪１１や溝切板４０に衝撃があった場合に、サドル３５に跨った作業者に衝撃が直撃しないように緩衝する効果がある。
【００８１】
○  上記衝撃緩衝構造８は、以下のようにも変更できる。例えば、支承ピン８１の位置を下部に配置して、弾性体（上）８３のみとすることができる。衝撃は主にヘッドチューブ３１とトップチューブ３２を押し開く方向に掛かるからである。
【００８２】
○  弾性体（上）８３、弾性体（下）８４は、ゴム以外でも、圧縮コイルスプリング、板ばね、捻じりばね、空気ばねや、樹脂により構成されても良い。
○  前記衝撃緩衝構造８は、トップチューブ３２と湾曲部３７、または湾曲部３７と後ステー３８との接続部分において、幅方向の水平な軸で相互回動可能に接続し、捻じりばね等の弾性体で衝撃を吸収するようにしてもよい。
【００８３】
○  回動抑制部材６は、ハンドル２３の回動を抑制できれば足り、カラーブッシュを環状の締付部材で締め付けて調整するようなものあってもよい。
○  回動抑制部材６は、下端が厚みの薄いテーパ状のカラーブッシュを、ここに外嵌するような環状の部材で、上から捻じ込んで押し込むことで摩擦係数を変化させるような構成でもよい。
【００８４】
○  また、ハンドルステム２２をヘッドチューブ３１の上下にスラストベアリングを配置して保持し、上下方向からベアリングに圧力をかけるような方法も採用できる。さらに、回動抑制部材６としては、図示しないオイルなどを利用したロータリーダンパを用いてもよい。
【００８５】
○  溝切部４は、用途に応じて様々な形状の溝切板を採用することができ、そろばんの玉状の回転式の溝切部材としてもよい。また、溝切板以外の器具を取り付けてもよい。
○  駆動部１は、溝切機が前進するように駆動力が与えられれば、当業者により様々な構成が採用可能で、例えば、外輪、スポーク、滑り止めなどは様々な態様が採用でき、駆動輪１１を２輪のものとしてもよい。駆動源は、モータ駆動のものであってもよく、配置もいろいろな位置のものを採用できる。
【００８６】
○  前フレーム２、後フレーム３の形状も限定されず、ハンドル２３の形状を後方に延ばしたような形状のものとしたり、サドル３５として椅子形のシートを使用したりすることができる。
【００８７】
○  直進状態のエンジン１２の位置が、車体の中心に配置されるような構成も望ましい。直進状態において、重心が車体中心に近づき、直進性が向上する。
【符号の説明】
【００８８】
１…駆動部、２…前フレーム、３…後フレーム（衝撃緩衝構造）、４…溝切部、５…センタリング部材、６…回動抑制部材、８…衝撃緩衝構造、９…動力伝達軸支持部材、１１…駆動輪、１２…エンジン、１３…動力伝達軸、２１…フロントフォーク（駆動輪支持部）、２２…ハンドルステム（ハンドル軸）、２３…ハンドル、３１…ヘッドチューブ（ハンドル軸支持部）、３２…トップチューブ、３３…シートチューブ（サドル支持部）、３５…サドル、３７…湾曲部（干渉防止構造）、３９…溝切部取付部、４０…溝切板（溝切部材）、４２…溝切面、４３…直進調整部材、５０…コイルスプリング（センタリング部材）、５１…前取付部（センタリング部材）、５３…後取付部（センタリング部材）、５４…取付ベース（センタリング部材）、５５…螺合孔（センタリング調整部材）、５６…調整プレート（センタリング調整部材）、５７…遊嵌孔（センタリング調整部材）、５８…調整ボルト（センタリング調整部材）、６０…カラーブッシュ（ブッシュ・回動抑制部材）、６４…調節ねじ（ねじ・回動抑制部材）、７０…案内部（干渉防止構造）、７１…案内レール（案内部材）、７２…スライダ（案内部材）、７３…センタリングスプリング（センタリング部材・付勢手段）、８１…支承ピン（軸）、８３…弾性体（上）、８４…弾性体（下）。
【図１】
2018027035.tif 000003
【図２】
2018027035.tif 000004
【図３】
2018027035.tif 000005
【図４】
2018027035.tif 000006
【図５】
2018027035.tif 000007
【図６】
2018027035.tif 000008
【図７】
2018027035.tif 000009
【図８】
2018027035.tif 000010
【図９】
2018027035.tif 000011
【図１０】
2018027035.tif 000012